(57)【特許請求の範囲】
【請求項１】
上面側に電子基板が配される下側ケースと、下側ケースの上面側を覆う上側ケースとに分割可能な構造を有する基板ケースと、
上側ケースに設けられたコネクタ接続口を覆うためのコネクタカバーと
を備え、
コネクタ接続口を通じて電子基板に接続されたコネクタから伸びるケーブルを引き出すためのケーブル引出口がコネクタカバーに設けられた
コネクタカバー付き基板ケースであって、
上側ケースに設けられた係合部α１を下側ケースに設けられた被係合部β１に係合することによって、下側ケースと上側ケースとが結合する構造とされるとともに、
コネクタカバーが、係合部α１を挿通させるための係合部挿通部を有し、
係合部α１を係合部挿通部に挿通して上側ケースにコネクタカバーを組み付けた状態で係合部α１の先端部を被係合部β１に係合させる構造とした
ことを特徴とするコネクタカバー付き基板ケース。
【請求項２】
下側ケースにおける被係合部β１の近傍に、接着剤を注入するための接着剤溜め部が設けられた請求項１記載のコネクタカバー付き基板ケース。
【請求項３】
被係合部β１が、下側ケースに形成された起立壁部γ１に設けられて、
起立壁部γ１の内側に、接着剤溜め部となるスリット溝が設けられ、
係合部挿通部が、コネクタカバーに形成された突出壁部γ２に設けられ、
係合部α１を被係合部β１に係合する際に、突出壁部γ２が接着剤溜め部に挿し込まれるようにした
請求項２記載のコネクタカバー付き基板ケース。
【請求項４】
係合部α１の下面側に、下向きリブが形成され、
下側ケースにおける接着剤溜め部よりも内側に、仕切壁部γ３が形成され、
仕切壁部γ３の上端に、下向きリブを嵌め込むための凹部が設けられた請求項２又は３記載のコネクタカバー付き基板ケース。
【請求項５】
ケーブル引出口の周部における一部の区間が開放区間とされる一方、
上側ケースにコネクタカバーを組み付けた際、又は、コネクタカバーが組み付けられた上側ケースを下側ケースに組み付けた際に、ケーブル引出口の開放区間を塞ぐ閉塞部が上側ケース又は下側ケースに設けられた
請求項１〜４いずれか１つに記載のコネクタカバー付き基板ケース。
【請求項６】
コネクタカバーにおけるケーブル引出口の近傍、又は、上側ケースにおけるコネクタ接続口の近傍に、不正器具の侵入を防止するための邪魔用リブが設けられた請求項１〜５いずれか１つに記載のコネクタカバー付き基板ケース。
【請求項７】
請求項１〜６いずれか１つに記載のコネクタカバー付き基板ケースに電子基板が収容されたことを特徴とする遊技機。
【発明の詳細な説明】
【技術分野】
【０００１】
本発明は、電子基板を収容するためのコネクタカバー付き基板ケースと、このコネクタカバー付き基板ケースに電子基板が収容された遊技機とに関する。
【背景技術】
【０００２】
遊技機の筺体内には、遊技における基本的な制御（役抽選や入賞判定等）を行うメイン制御基板や、遊技における演出（音声演出等）を行うサブ制御基板等、各種の電子基板が収容されている。これらの電子基板のうち、メイン制御基板やサブ制御基板には、各種制御を行うためのプログラムが記録された記憶装置（通常はＲＯＭ）が搭載されている。このため、遊技機の各メーカーは、上記記憶装置に記録されたプログラムの改竄等を防止するために、制御基板等の電子基板を基板ケースで覆って封止した状態で遊技機の筺体内に実装している。
【０００３】
ところが、基板ケース内の電子基板には、当該基板ケース外に配された他の機器と信号のやり取りをするためのケーブルや、その電子基板に電力を供給するためのケーブル等、各種のケーブルを接続する必要がある。このため、基板ケースには、これらのケーブルの端部に設けられたコネクタを電子基板に接続するためのコネクタ接続口を設けておく必要がある。しかし、基板ケースにコネクタ接続口を設けると、そのコネクタ接続口から針金等の不正器具を挿入することが可能になる等、コネクタ接続口を通じた基板ケース内への不正アクセスが可能になるという問題があった。
【０００４】
このような実状に鑑みて、従来の遊技機においては、基板ケースのコネクタ接続口をコネクタカバーで覆うことが行われている。コネクタ接続口がコネクタカバーで覆われるタイプの基板ケースにおいて、基板ケースに対するコネクタカバーの固定は、ネジ止めによって行われることが多い。しかし、コネクタカバーをネジ止めする場合には、部品点数が多くなるだけでなく、ネジ止め作業を要する分、基板ケースに対するコネクタカバーの固定作業が煩雑になるという問題があった。また、基板ケースの外部から前記ネジ止めした箇所のネジを外しさえすれば、基板ケースからコネクタカバーを取り外してコネクタ接続口を露出させ、特に痕跡を残すことなく、基板ケース内へ不正アクセスすることが可能になるという問題もあった。
【０００５】
ところで、特許文献１の図４には、基板ケース１２における凹部２０にコネクタ接続口を設けるとともに、コネクタカバー５０の両側に、凹部２０の側面奥側に係止させるための一対の係止部（同文献の図７における突設部５２１及び延設部５４を参照。）を設けた構造の遊技機が提案されている。特許文献１のコネクタカバー５０は、その一対の係止部５２１，５４を基板ケース１２の凹部２０の側面奥側に係止することにより、基板ケース１２に対して固定されるようになっている。このため、特許文献１のコネクタカバー５０は、ネジ止めすることなく、基板ケース１２に対して固定することができるものとなっており、部品点数の増大を抑えるとともに、ネジ止め作業に要する手間を省くことができるものとなっている。
【０００６】
しかし、特許文献１のコネクタカバー５０は、その係止部が脆弱に形成されている（同文献の請求項１及び段落００６７を参照。）ため、その係止部さえ破壊すれば、基板ケース１２から容易に取り外すことができるだけでなく、基板ケース１２の凹部２０の周辺やコネクタカバー５０の係止部の周辺を工具で押し込む等しながらコネクタカバー５０を巧みに操作することで、その係止部を破損させることなく基板ケース１２から引き抜かれるおそれもある。すなわち、特許文献１のコネクタカバー５０は、引き抜きによる取り外しの困難性という点では、十分なものとは言い難かった。また、特許文献１のコネクタカバー５０では、その組付時においては、一対の係止部を破損させることなく凹部２０の側面奥側に慎重に係止させる必要があった。すなわち、特許文献１のコネクタカバー５０は、組付の作業性が良いものとも言い難かった。
【先行技術文献】
【特許文献】
【０００７】
【特許文献１】特開２０１３−２５５５７８号公報
【発明の概要】
【発明が解決しようとする課題】
【０００８】
本発明は、上記課題を解決するために為されたものであり、基板ケースに対するコネクタカバーの固定にネジ止めを要さず、部品点数を抑え、その固定作業に要する手間を軽減しながらも、コネクタカバーの取り外しが困難で、かつ、コネクタカバーの組付の作業性に優れたコネクタカバー付き基板ケースを提供するものである。また、このコネクタカバー付き基板ケースに電子基板を収容した遊技機を提供することも本発明の目的である。
【課題を解決するための手段】
【０００９】
上記課題は、
上面側に電子基板が配される下側ケースと、下側ケースの上面側を覆う上側ケースとに分割可能な構造を有する基板ケースと、
上側ケースに設けられたコネクタ接続口を覆うためのコネクタカバーと
を備え、
コネクタ接続口を通じて電子基板に接続されたコネクタから伸びるケーブルを引き出すためのケーブル引出口がコネクタカバーに設けられた
コネクタカバー付き基板ケースであって、
上側ケースに設けられた係合部α１を下側ケースに設けられた被係合部β１に係合することによって、下側ケースと上側ケースとが結合する構造とされるとともに、
コネクタカバーが、係合部α１を挿通させるための係合部挿通部を有し、
係合部α１を係合部挿通部に挿通して上側ケースにコネクタカバーを組み付けた状態で係合部α１の先端部を被係合部β１に係合させる構造とした
ことを特徴とするコネクタカバー付き基板ケース
を提供することによって解決される。
【００１０】
ここで、「上面側に電子基板が配される下側ケース」及び「下側ケースの上面側を覆う上側ケース」という記載における「上」又は「下」という語は、各部の相対的な位置関係を表すために、下側ケースから上側ケースに向かう向きを「上」とし、上側ケースから下側ケースに向かう向きを「下」として便宜的に用いたものであり、コネクタカバー付き基板ケースを使用する向きを限定するものではない。「下」又は「上」という語が、各部の相対的な位置関係を表すために便宜的に用いたものであることは、特に断りのない限り、以下においても同様である。
【００１１】
このように、上側ケースの係合部α１をコネクタカバーの係合部挿通部に挿通して上側ケースにコネクタカバーを組み付けた状態で上側ケースの係合部α１の先端部を下側ケースの被係合部β１に係合させる構造、換言すると、上側ケースと下側ケースとの係合箇所にコネクタカバーを介在させる構造を採用したことにより、上側ケース（基板ケース）に対してコネクタカバーを固定する際にネジ止めを行う必要がなくなるだけでなく、上側ケースの係合部α１と下側ケースの被係合部β１との係合を外さない限りは、コネクタカバーを上側ケースから取り外すことができないようにすることができる。このため、部品点数の増大を抑えることや、ネジ止めに要する手間を省くだけでなく、コネクタカバーを上側ケース（基板ケース）から容易に取り外すことができないようにすることが可能になる。
【００１２】
また、本発明のコネクタカバー付き基板ケースでは、上側ケースの係合部α１や、下側ケースの被係合部β１の周辺や、コネクタカバーにおける係合部挿通部の周辺を、脆弱に形成する必要が特になく、これらの部分を堅牢に形成することができる。このため、本発明のコネクタカバー付き基板ケースは、その組付時において各部材が破損しないように慎重に取り扱う必要が特になく、組付の作業を容易に行うことができるものとなっている。
【００１３】
本発明のコネクタカバー付き基板ケースにおいては、下側ケースにおける被係合部β１の近傍に、接着剤を注入するための接着剤溜め部を設けると好ましい。これにより、接着剤溜め部に接着剤を注入することで、上側ケース、下側ケース及びコネクタカバーの三者を互いに接着し、それぞれの部材を他の部材に対してより強固に固定することが可能になる。このため、コネクタカバーを上側ケースからさらに取り外しにくくすることが可能になる。
【００１４】
接着剤溜め部を設ける場合には、下側ケースに形成した起立壁部γ１に被係合部β１を設けて、起立壁部γ１の内側（基板ケース内における電子基板が配された側）に設けたスリット溝を接着剤溜め部とするとともに、コネクタカバーに形成した突出壁部γ２に係合部挿通部を設け、係合部α１を被係合部β１に係合する際に、突出壁部γ２が接着剤溜め部に挿し込まれるようにすると好ましい。これにより、コネクタカバーにおけるさらに広い範囲（突出壁部γ２）を下側ケースに対して接着することが可能になる。加えて、突出壁部γ２がスリット溝（接着剤溜め部）に挿し込まれた際に、接着剤溜め部内の接着剤の液位を上昇させるだけでなく、突出壁部γ２によってスリット溝の内部空間を幅狭に仕切り、スリット溝の底部付近に存在する接着剤が毛細管現象によって上方に導かれやすくすることも可能になる。このため、係合部α１や被係合部β１の周辺の広い範囲に接着剤が行き渡るようにすることが可能になる。したがって、上側ケース、下側ケース及びコネクタカバーの三者をさらに強固に固定することが可能になる。
【００１５】
ただし、接着剤溜め部に注入された接着剤が、基板ケース内における電子基板が配された側へ流れ込んでしまうと、電子基板が故障するおそれがある。特に、コネクタカバーにおける突出壁部γ２をスリット溝（接着剤溜め部）に挿し込む構成を採用する場合には、接着剤溜め部の接着剤が溢れ出やすくなる。このため、下側ケースにおける接着剤溜め部よりも内側（基板ケース内における電子基板が配された側）には、仕切壁部γ３を形成すると好ましい。これにより、接着剤溜め部から電子基板への接着剤の流れを遮ることが可能になる。このとき、係合部α１の下面側に下向きリブを形成し、仕切壁部γ３の上端に、下向きリブを嵌め込むための凹部を設けることも好ましい。これにより、上側ケースの係合部α１を下側ケースに対して正確に位置決めするだけでなく、上側ケースの係合部α１と下側ケースとの接着面積を下向きリブの分だけ広く確保することも可能になる。
【００１６】
本発明のコネクタカバー付き基板ケースにおいて、コネクタカバーに設けるケーブル引出口は、その周部が完全に閉じた形態のものであってもよいが、この場合には、ケーブル引出口にコネクタを通すことができるように、ケーブル引出口の開口面積を広く確保する必要が生じる。というのも、コネクタは、通常、ケーブルの両端部に設けられているため、ケーブル引出口からケーブルを引き出すためには、ケーブルに対して後からコネクタを取り付ける等しない限りは、いずれか一方のコネクタをケーブル引出口に通す必要があるからである。よって、ケーブル引出口をその周部が完全に閉じた形態とすると、針金等の不正器具を挿し込むことが可能なスペースがケーブル引出口に形成されるおそれがある等、ケーブル引出口が不正アクセスの手掛かりとされる可能性を否定しきれない。
【００１７】
このため、ケーブル引出口は、その周部の一部が開いた形態とすると好ましい。換言すると、ケーブル引出口の周部における一部の区間を開放区間とすると好ましい。これにより、ケーブルを前記開放区間からケーブル引出口内へ納めることが可能になる。このため、ケーブル引出口にコネクタを通す必要がなくなり、ケーブル引出口の開口面積を狭くすることが可能になる。したがって、ケーブル引出口が不正アクセスの手掛かりとされるリスクを低めることが可能になる。ケーブル引出口の開放区間は、上側ケースにコネクタカバーを組み付けた際に、上側ケースに設けられた閉塞部によって塞がれるようにするか、コネクタカバーが組み付けられた上側ケースを下側ケースに組み付けた際に、下側ケースに設けられた閉塞部によって塞がれるようにすればよい。
【００１８】
このとき、ケーブル引出口の向きや開放区間の向きは、特に限定されない。例えば、後述する第二実施態様のコネクタカバー付き基板ケースのように、コネクタカバーの壁部を上下方向に貫通した状態でケーブル引出口を設けた場合には、当該ケーブル引出口の側方を開放区間とすることもできるし、後述する第四実施態様のコネクタカバー付き基板ケースのように、コネクタカバーの壁部を上下方向に垂直な方向に貫通した状態でケーブル引出口を設けた場合には、当該ケーブル引出口の下方を開放区間とすることもできる。ケーブル引出口の向きや開放区間の向きは、コネクタカバーや他の部材の形態等に応じて様々なバリエーションが考えられる。
【００１９】
本発明のコネクタカバー付き基板ケースにおいては、コネクタカバーにおけるケーブル引出口の近傍、又は、上側ケースにおけるコネクタ接続口の近傍に、不正器具の侵入を防止するための邪魔用リブを設けると好ましい。これにより、コネクタカバーのケーブル引出口の隙間から針金等の不正器具が挿入されたとしても、その不正器具の先端が上側ケースのコネクタ接続口や、その下側の電子基板まで到達しにくくすることが可能になり、電子基板への不正アクセスをより行いにくくすることが可能になる。
【００２０】
以上で述べた本発明のコネクタカバー付き基板ケースは、その用途を特に限定されるものではなく、電子基板を封止する必要のある各種用途に用いることができるが、回胴式遊技機やパチンコ遊技機等の遊技機における電子基板を収容するものとして好適である。これら遊技機の電子基板は、様々な不正行為の対象となりやすく、本発明の構成を採用する意義が高まるからである。
【発明の効果】
【００２１】
以上のように、本発明によって、基板ケースに対するコネクタカバーの固定にネジ止めを要さず、部品点数を抑え、その固定作業に要する手間を軽減しながらも、コネクタカバーの取り外しが困難で、かつ、コネクタカバーの組付の作業性に優れたコネクタカバー付き基板ケースを提供することが可能になる。また、このコネクタカバー付き基板ケースに電子基板を収容した遊技機を提供することも可能になる。
【図面の簡単な説明】
【００２２】
【図１】回胴式遊技機を前面側から見た正面図である。
【図２】図１の回胴式遊技機における前扉を開いた状態を示した斜視図である。
【図３】第一実施態様のコネクタカバー付き基板ケースを分解した状態を示した斜視図である。
【図４】コネクタカバーを上側ケースに組み付けている途中の第一実施態様のコネクタカバー付き基板ケースを示した斜視図である。
【図５】コネクタカバーを上側ケースに組み付け終えた状態の第一実施態様のコネクタカバー付き基板ケースを示した斜視図である。
【図６】上側ケースを下側ケースに組み付けている途中の第一実施態様のコネクタカバー付き基板ケースを示した斜視図である。
【図７】上側ケースを下側ケースに組み付け終えた状態の第一実施態様のコネクタカバー付き基板ケースを示した斜視図である。
【図８】図６に示す第一実施態様のコネクタカバー付き基板ケースをｙ−ｚ面に平行な平面で切断した状態を示した断面図である。
【図９】図７に示す第一実施態様のコネクタカバー付き基板ケースをｙ−ｚ面に平行な平面で切断した状態を示した断面図である。
【図１０】図９に示す第一実施態様のコネクタカバー付き基板ケースにおける係合部α１の周辺をｘ−ｚ平面に平行で仕切壁部γ３を通る平面で切断した状態を拡大して示した断面図である。
【図１１】第二実施態様のコネクタカバー付き基板ケースを分解した状態を示した斜視図である。
【図１２】上側ケースを下側ケースに組み付け終えた状態の第二実施態様のコネクタカバー付き基板ケースを示した斜視図である。
【図１３】第三実施態様のコネクタカバー付き基板ケースを分解した状態を示した斜視図である。
【図１４】上側ケースを下側ケースに組み付け終えた状態の第三実施態様のコネクタカバー付き基板ケースを示した斜視図である。
【図１５】図３に示す上側ケースを裏返した状態を示した斜視図である。
【図１６】図３に示したものとは別の例の下側ケースを後方から見た状態を示した斜視図である。
【図１７】第四実施態様のコネクタカバー付き基板ケースを分解した状態を示した斜視図である。
【図１８】上側ケースを下側ケースに組み付け終えた状態の第四実施態様のコネクタカバー付き基板ケースを示した斜視図である。
【発明を実施するための形態】
【００２３】
本発明のコネクタカバー付き基板ケースの好適な実施態様について、図面を用いてより具体的に説明する。以下においては、回胴式遊技機を例に挙げて説明する。
【００２４】
０．回胴式遊技機
図１は、回胴式遊技機１０を前面側から見た正面図である。回胴式遊技機１０は、図１に示すように、メダルを投入するためのメダル投入口１１と、メダルを払い出すためのメダル払出口１２と、その外周面に図柄が描かれた３本のリール１３，１４，１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出を切り替えるためのチャンスボタン２４と、クレジットされたメダルを払い戻すための払戻しボタン２５等を有するものとなっている。
【００２５】
回胴式遊技機１０では、メダルのクレジット枚数が所定枚数以上となった状態でスタートレバー２０が操作されると、役抽選が実行されるとともにリール１３，１４，１５が一斉に回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ａの有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、筺体内のメダルホッパー２６（図２）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２６】
図２は、図１の回胴式遊技機１０における前扉を開いた状態を示した斜視図である。回胴式遊技機１０の筺体内には、図２に示すように、メイン制御基板ユニット３０、サブ制御基板ユニット３１、液晶ユニット３２、電源ユニット３３及びコネクタユニット３４等の各種機器が納められている。メイン制御基板ユニット３０は、役抽選や入賞判定等、遊技における基本的な制御を行うメイン制御基板が格納されたユニットである。サブ制御基板ユニット３１は、発光ランプや音声による演出等、遊技における演出に関する制御を行うサブ制御基板が格納されたユニットである。液晶ユニット３２は、液晶ディスプレイ１６（図１）に表示される映像による演出に関する制御を行う映像基板が格納されたユニットである。電源ユニット３３は、回胴式遊技機１０における各機器に電力を供給する電源基板が格納されたユニットである。コネクタユニット３４は、特定の機器に接続されたケーブルを仲介する仲介基板が格納されたユニットである。回胴式遊技機１０の筺体内には、上で述べたユニット以外にも、リール１３，１４，１５の回転を制御するリール制御基板が格納されたリール制御ユニットや、メダルホッパー２６からのメダルの払出しを制御する払出し制御基板が格納された払出しユニット等のユニットが納められている。
【００２７】
このように、回胴式遊技機１０の筺体内には、メイン制御基板、サブ制御基板、映像基板、電源基板、仲介基板、リール制御基板又は払出し制御基板等、各種の電子基板が格納されているが、これらの電子基板は、いずれも不正アクセスの対象となり得る。このため、メイン制御基板ユニット３０、サブ制御基板ユニット３１、液晶ユニット３２、電源ユニット３３及びコネクタユニット３４等の各ユニットは、それに格納される電子基板を基板ケースで覆って封止した構造とする必要がある。本発明のコネクタカバー付き制御基板は、これらのユニットにおいて好適に採用できるものとなっている。以下においては、サブ制御基板ユニット３１で採用した場合（後述する第一実施態様、第二実施態様及び第四実施態様のコネクタカバー付き基板ケース）と、メイン制御基板ユニット３０で採用した場合（後述する第三実施態様のコネクタカバー付き基板ケース）とを例に挙げて、本発明のコネクタカバー付き基板ケースを説明するが、そこで述べた構成は、サブ制御基板ユニット３１やメイン制御基板ユニット３０で採用した場合に限定されず、他のユニットで採用した場合にも採用することができる。
【００２８】
１．第一実施態様のコネクタカバー付き基板ケース
１．０  概要
図３は、第一実施態様のコネクタカバー付き基板ケース１００を分解した状態を示した斜視図である。図４は、コネクタカバー１２０を上側ケース１１２に組み付けている途中の第一実施態様のコネクタカバー付き基板ケース１００を示した斜視図である。図５は、コネクタカバー１２０を上側ケース１１２に組み付け終えた状態の第一実施態様のコネクタカバー付き基板ケース１００を示した斜視図である。図６は、上側ケース１１２を下側ケース１１１に組み付けている途中の第一実施態様のコネクタカバー付き基板ケース１００を示した斜視図である。図７は、上側ケース１１２を下側ケース１１１に組み付け終えた状態の第一実施態様のコネクタカバー付き基板ケース１００を示した斜視図である。図８は、図６に示す第一実施態様のコネクタカバー付き基板ケース１００をｙ−ｚ面に平行な平面で切断した状態を示した断面図である。図９は、図７に示す第一実施態様のコネクタカバー付き基板ケース１００をｙ−ｚ面に平行な平面で切断した状態を示した断面図である。図１０は、図９に示す第一実施態様のコネクタカバー付き基板ケース１００における係合部α１の周辺をｘ−ｚ平面に平行で仕切壁部γ３を通る平面で切断した状態を拡大して示した断面図である。以下の説明においては、「コネクタ付きケーブル３００」という語句が登場するが、コネクタ付きケーブル３００は、図９において破線で表しているのみである。このため、「コネクタ付きケーブル３００」や、それを構成する部材（「ケーブル３１０」、「コネクタ３２０」又は「コネクタ３３０」）が説明中に登場した場合には、図９を参照されたい。
【００２９】
第一実施態様のコネクタカバー付き基板ケース１００は、図３に示すように、基板ケース１１０とコネクタカバー１２０とを備えたものとなっている。基板ケース１１０は、上面側（ｚ軸方向正側）に電子基板２００が配される下側ケース１１１と、下側ケース１１１の上面側を覆う上側ケース１１２とに分割可能な構造を有している。下側ケース１１１には、被係合部β１が設けられている。この被係合部β１は、上側ケース１１２に設けられた係合部α１が係合するための部分となっている。一方、基板ケース１１０における上側ケース１１２には、上述した係合部α１の他に、コネクタ接続口１１２ａが設けられている。このコネクタ接続口１１２ａは、コネクタ付きケーブル３００のコネクタ３２０を電子基板２００のコネクタ２３０に接続できるようにするための部分となっている。また、コネクタカバー１２０は、上側ケース１１２のコネクタ接続口１１２ａを覆うための部材となっている。このコネクタカバー１２０には、ケーブル引出口１２１と係合部挿通部１２２とが設けられている。ケーブル引出口１２１は、コネクタ３２０から伸びるケーブル３１０をコネクタカバー１２０の外部へ引き出すための部分となっており、係合部挿通部１２２は、上側ケース１１２の係合部α１を挿通させるための部分となっている。
【００３０】
第一実施態様のコネクタカバー付き基板ケース１００は、図６及び図８に示すように、上側ケース１１２の係合部α１をコネクタカバー１２０の係合部挿通部１２２に挿通して上側ケース１１２にコネクタカバー１２０を組み付けた状態で、係合部α１の先端部を下側ケース１１１の被係合部β１に係合させることにより、図７及び図９に示すように、下側ケース１１１と上側ケース１１２とコネクタカバー１２０との三者が結合する構造となっている。
【００３１】
コネクタカバー付き基板ケース１００を構成する、下側ケース１１１、上側ケース１１２及びコネクタカバー１２０の素材は、特に限定されないが、透明な材料（例えば、ポリカーボネートやアクリル等の透明樹脂。）であると好ましい。これにより、万が一、不正アクセスによって電子基板２００が改造等された場合であっても、その改造箇所等をコネクタカバー付き基板ケース１００の外部から発見することが可能になるだけでなく、不正アクセスの際に下側ケース１１１や上側ケース１１２やコネクタカバー１２０に生じた不正アクセスの痕跡を視認しやすくすることも可能になる。
【００３２】
１．１  下側ケース
下側ケース１１１は、図３に示すように、電子基板２００の下面側を覆うための部材となっている。下側ケース１１１は、その形態を特に限定されるものではないが、第一実施態様のコネクタカバー付き基板ケース１００においては、矩形状の底壁部１１１ａ（図８を参照）と、底壁部１１１ａの各縁部から上向き（ｚ軸方向正側）に起立して形成された側壁部１１１ｂ（図８を参照），１１１ｃ，１１１ｄ，１１１ｅとを有する矩形箱状としている。下側ケース１１１の底壁部１１１ａには、電子基板２００が取り付けられている。
【００３３】
下側ケース１１１には、上述した被係合部β１が設けられる。被係合部β１を設ける箇所は、特に限定されないが、通常、下側ケース１１１の側壁部１１１ｂ，１１１ｃ，１１１ｄ，１１１ｅの近傍に設けられる。第一実施態様のコネクタカバー付き基板ケース１００においては、図８に示すように、側壁部１１１ｂの近傍に被係合部β１を設けている。具体的には、下側ケース１１１の側壁部１１１ｂに、側壁部１１１ｂの外面から略垂直に突出する横壁部１１１ｆと、横壁部１１１ｆの外端縁から下向きに延びる縦壁部１１１ｇと、縦壁部１１１ｇの下端縁から外方に延びる横壁部１１１ｈと、横壁部１１１ｈの外端縁から上向きに起立する起立壁部γ１とを設けており、起立壁部γ１の上端縁近傍に、被係合部β１を設けている。
【００３４】
被係合部β１は、上側ケース１１２の係合部α１を係合させることができる形態であればよく、起立壁部γ１の内面に設けた凹部や凸部としてもよいが、第一実施態様のコネクタカバー付き基板ケース１００では、起立壁部γ１を内外に貫通する貫通孔としている。被係合部β１の数も、特に限定されないが、２個以上とした方が、下側ケース１１１に対して上側ケース１１２をより強固に組み付けることが可能になる。このとき、複数の被係合部β１は、下側ケース１１１の起立壁部γ１を幅方向（ｘ軸方向）に二等分する中心線に対して対称な位置に設けると好ましい。第一実施態様のコネクタカバー付き基板ケース１００においても、図３に示すように、起立壁部γ１における対称な箇所に２個の被係合部α１を設けている。
【００３５】
縦壁部１１１ｇと横壁部１１１ｈと起立壁部γ１は、図８に示すように、スリット溝１１１ｉを形成している。このスリット溝１１１ｉは、接着剤を注入するための接着剤溜め部として利用できるようになっている。また、このスリット溝１１１ｉには、コネクタカバー１２０が組み付けられた上側ケース１１２を下側ケース１１１に組み付ける際に、コネクタカバー１２０に設けられた突出壁部γ２を挿し込むことができるようになっている。下側ケース１１１におけるスリット溝１１１ｉよりも内側には、仕切壁部γ３を設けており、スリット溝１１１ｉに注入された接着剤が電子基板２００が配された空間へ流れ込まないようにしている。第一実施態様のコネクタカバー付き基板ケース１００において、仕切壁部γ３は、側壁部１１１ｂを上側に延長する形態で形成されている。仕切壁部γ３の上端には、複数の凹部γ３．１を形成している。これらの凹部γ３．１は、図１０に示すように、後述する係合部α１の下向きリブα１．１を嵌め込むための部分となっている。
【００３６】
スリット溝１１１ｉの幅Ｗ１（図８を参照）は、特に限定されない。しかし、幅Ｗ１を狭くしすぎると、スリット溝１１１ｉに接着剤を注入しにくくなるおそれがある。また、スリット溝１１１ｉに挿し込む突出壁部γ２を薄く形成しなければならなくなり、突出壁部γ２が破損しやすくなるおそれもある。さらに、スリット溝１１１ｉに突出壁部γ２を挿し込みにくくなるおそれもある。このため、幅Ｗ１は、好ましくは１ｍｍ以上、より好ましくは２ｍｍ以上とされる。一方、幅Ｗ１を広くしすぎると、スリット溝１１１ｉに多量の接着剤を注入する必要が生じる。また、スリット溝１１１ｉに挿し込まれた突出壁部γ２によってスリット溝１１１ｉの内部空間を幅狭に仕切ることができなくなり、上述した毛細管現象が発現しにくくなるおそれもある。このため、幅Ｗ１は、好ましくは１０ｍｍ以下、より好ましくは５ｍｍ以下とされる。
【００３７】
スリット溝１１１ｉの深さＤ１（図８を参照）も、特に限定されない。しかし、深さＤ１を浅くしすぎると、スリット溝１１１ｉにごく僅かな量の接着剤しか注入できなくなり、スリット溝１１１ｉを設ける意義が低下する。このため、深さＤ１は、好ましくは３ｍｍ以上、より好ましくは５ｍｍ以上とされる。一方、深さＤ１を深くしすぎると、スリット溝１１１ｉに多量の接着剤を注入する必要が生じる。また、スリット溝１１１ｉに突出壁部γ２を挿し込みにくくなるおそれもある。このため、深さＤ１は、好ましくは２０ｍｍ以下、より好ましくは１５ｍｍ以下とされる。
【００３８】
下側ケース１１１を形成する各側壁部のうち、被係合部β１とは反対側の側壁部１１１ｄの上縁近傍には、図３に示すように、上向きに起立する起立壁部γ４を設けており、起立壁部γ４における対称な箇所に２個の被係合部β２を設けている。この被係合部β２は、図８に示すように、下側ケース１１１に対して上側ケース１１２を回動させながら組み付ける際に、上側ケース１１２における係合部α２を係合させるための部分となっている。被係合部β２は、上側ケース１１２の係合部α２を係合させることができる形態であればよく、起立壁部γ２の内面に設けた凹部や凸部としてもよいが、第一実施態様のコネクタカバー付き基板ケース１００では、起立壁部γ２を内外に貫通する貫通孔としている。被係合部β２と係合部α２は、逆にしてもよい。すなわち、下側ケース１１１に係合部α２を設けて、上側ケース１１２に被係合部β２を設けてもよい。
【００３９】
１．２  上側ケース
上側ケース１１２は、図３に示すように、下側ケース１１１の上面側を覆うための部材となっている。上側ケース１１２の形態は、電子基板２００に実装された部品に干渉しない範囲であれば、特に限定されない。第一実施態様のコネクタカバー付き基板ケース１００において、上側ケース１１２は、電子基板２００に実装されたＲＯＭ２２０に干渉しないように形成された第一凸部１１２ｂと第二凸部１１２ｃとを有する蓋状の部材となっている。上側ケース１１２の上面における第一凸部１１２ｂと第二凸部１１２ｃとで区画される部分（図３において網掛けハッチングで示した部分）は、コネクタカバー１２０を組み付けるためのコネクタカバー組付部１１２ｄとなっている。
【００４０】
この上側ケース１１２には、係合部α１が設けられる。係合部α１を設ける箇所や数は、上述した被係合部β１に対応したものであれば特に限定されない。第一実施態様のコネクタカバー付き基板ケース１００においては、上側ケース１１２における一の外端面（ｙ軸方向負側を向く外端面）に、２個の係合部α１を設けている。係合部α１の形態も、被係合部β１に係合できるのであれば特に限定されない。第一実施態様のコネクタカバー付き基板ケース１００において、係合部α１は、側面視台形状の凸部によって形成している。係合部α１の下面側には、図１５に示すように、一対の下向きリブα１．１が形成されている。図１５は、図３に示す上側ケース１１２を裏返した状態を示した斜視図である。この下向きリブα１．１は、図１０に示すように、下側ケース１１１の仕切壁部γ３に形成された凹部γ３．１に嵌め込むための部分となっている。このため、係合部α１を下側ケース１１１に対して正確に位置決めするとともに、スリット溝１１１ｉに注入された接着剤による係合部α１と下側ケース１１１との接着面積を広く確保することができるようになっている。
【００４１】
また、図１５に示すように、係合部α１の下向きリブα１．１の先端部下面側（同図において網掛けハッチングで示した部分）は、傾斜した状態に形成されている。下向きリブα１．１の先端部下面側は、コネクタカバー１２０が組み付けられた上側ケース１１２を、図８に示す状態から図９に示す状態へと回動させる際に、下側ケース１１１における起立壁部γ１の上端内側の角部に突き当たる部分であるところ、この部分を傾斜させることによって、当該部分が起立壁部γ１の上端内側の角部に突き当た状態からコネクタカバー１２０が組み付けられた上側ケース１１２をさらに下向きに回動させようとした際に、下向きリブα１．１の先端部下面側から起立壁部γ１の上端内側の角部に外向きの力が加わりやすくなり、起立壁部γ１の上側部分が外側に押し広げられやすくすることができる。すなわち、係合部α１を被係合部β１まで移動させやすくすることが可能になる。係合部α１が被係合部β１に係合されると、外方に押し広げられていた起立壁部γ１は元の状態へ復帰する。これと同様の作用は、図１６に示すように、起立壁部γ１の上端内側における少なくとも係合部α１の下向きリブα１．１と当接し得る箇所（同図において網掛けハッチングで示した部分）を傾斜した状態に形成することによっても得ることができる。図１６は、図３に示したものとは別の例の下側ケース１１１を後方から見た状態を示した斜視図である。
【００４２】
上側ケース１１２における前記一の外端面とは反対側を向く他の外端面（ｙ軸方向正側を向く外端面）には、図３に示すように、係合部α２を設けている。この係合部α２は、図８に示すように、下側ケース１１１に対して上側ケース１１２を回動させながら組み付ける際に、下側ケース１１１における被係合部β２に係合するための部分となっている。これにより、下側ケース１１１に上側ケース１１２を組み付けた際に、上側ケース１１２における係合部α１が設けられた側の端部だけでなく、係合部α１が設けられていない側の端部も下側ケース１１１から浮き上がらないようにすることが可能になる。
【００４３】
係合部α２を設ける箇所や数は、上述した被係合部β２に対応したものであれば特に限定されない。第一実施態様のコネクタカバー付き基板ケース１００においては、上側ケース１１２における一の外端面（ｙ軸方向負側を向く外端面）に、２個の係合部α１を設けている。係合部α２の形態も、下側ケース１１１の被係合部β２に係合することができるのであれば特に限定されない。第一実施態様のコネクタカバー付き基板ケース１００において、係合部α２は、上向き鉤状の凸部によって形成している。
【００４４】
上側ケース１１２の第一凸部１１２ｂにおけるコネクタカバー組付部１１２ｄ側の側面には、図３に示すように、被係合部β３を設けている。この被係合部β３は、図４に示すように、コネクタカバー１２０における係合部α３を係合させるための部分となっている。被係合部β３は、コネクタカバー１２０の係合部α３を係合させることができる形態であればよく、第一凸部１１２ｂの側面に設けた凹部や凸部としてもよいが、第一実施態様のコネクタカバー付き基板ケース１００では、第一凸部１１２の側面を内外に貫通する開口部としている。被係合部β３と係合部α３は、逆にしてもよい。すなわち、上側ケース１１２に係合部α３を設けて、コネクタカバー１２０に被係合部β３を設けてもよい。
【００４５】
また、上側ケース１１２には、図３に示すように、コネクタ接続口１１２ａも設けられている。コネクタ接続口１１２ａを設ける箇所は、電子基板２００におけるコネクタ２３０の配置等によっても異なり、特に限定されないが、不正アクセスの対象となりやすいＲＯＭ２２０からできるだけ遠くなる箇所に設けると好ましい。第一実施態様のコネクタカバー付き基板ケース１００においては、図９に示すように、その封止対象である電子基板２００を、ＲＯＭ２２０が側壁部１１１ｄ側となり、コネクタ２３０が側壁部１１１ｂ側となるようにレイアウトしており、上側ケース１１２におけるコネクタ２３０に重なる箇所にコネクタ接続口１１２ａを設けている。
【００４６】
さらに、上側ケース１１２には、コネクタ接続口１１２ａからコネクタカバー１２０のケーブル引出口１２１寄りとなる箇所には、不正器具の侵入を防止するための邪魔用リブ１１２ｅを上向きに形成している。これにより、図９に示すように、コネクタカバー１２０を上側ケース１１２に組み付けた状態において、ケーブル引出口１２１の隙間からコネクタカバー１２０の内部へ針金等の不正器具が挿入されたとしても、その不正器具の先端部が上側ケース１１２のコネクタ接続口１１２ａまで到達しにくくすることが可能になる。このため、電子基板２００への不正アクセスをより困難にすることができる。邪魔用リブ１１２ｅを設ける部材は、上側ケース１１２に限定されず、コネクタカバー１２０とすることもできる。例えば、コネクタカバー１２０の内面におけるケーブル引出口１２１からコネクタ接続口１１２ａ寄りとなる箇所に下向きの邪魔用リブ１１２ｅを設けても、不正器具の侵入を防ぐことができる。勿論、上側ケース１１２とコネクタカバー１２０の双方に邪魔用リブ１１２ｅを設けることもできる。
【００４７】
１．３  コネクタカバー
コネクタカバー１２０は、図３に示すように、上側ケース１１２に設けられたコネクタ接続口１１２ａを覆うための部材となっている。コネクタカバー１２０の形態は、コネクタ接続口１１２ａを覆うことができ、かつ、上側ケース１１２に組み付けることができるのであれば、特に限定されない。第一実施態様のコネクタカバー付き基板ケース１００において、コネクタカバー１２０は、その下面（ｚ軸方向負側の面）が開放された箱状を為している。
【００４８】
コネクタカバー１２０には、上述したケーブル引出口１２１が設けられている。ケーブル引出口１２１を設ける箇所は、特に限定されないが、第一実施態様のコネクタカバー付き基板ケース１００においては、コネクタカバー１２０を上側ケース１１２に組み付けたときにコネクタ接続口１１２ａに重ならない位置にケーブル引出口１２１を設ける必要がある。というのも、第一実施態様のコネクタカバー付き基板ケース１００において、ケーブル引出口１２１は、その周部が完全に閉じた形態（周部に開放区間を有さない形態）となっているため、コネクタ付きケーブル３００を図９の破線部で示されるように引きまわすためには、ケーブル引出口１２１をコネクタ３２０又はコネクタ３３０を通すことができる寸法に形成する必要があるところ、ケーブル引出口１２１がコネクタ接続口１１２ａに重なる（真上に位置する）と、コネクタ３２０の引き抜きを防止することができなくなるからである。
【００４９】
コネクタ３２０の引き抜き防止だけでなく、ケーブル引出口１２１に挿し込んだ不正器具がコネクタ接続口１１２ａに到達しにくくすることも考慮すると、ケーブル引出口１２１は、コネクタ接続口１１２ａに重なる位置（コネクタ接続口１１２ａの真上となる位置）から、ケーブル引出口１２１の１個分（図９の例ではケーブル引出口１２１のｙ軸方向の幅）以上ずれた位置に形成すると好ましく、２個分以上ずれた位置に形成するとより好ましく、３個分以上ずれた位置に形成するとさらに好ましい。ケーブル引出口１２１をずらす距離に特に上限はないが、現実的には、ケーブル引出口１２１の２０〜３０個分までである。ケーブル引出口１２１をコネクタ接続口１１２ａに重なる位置からずらす構成は、上述した邪魔用リブ１１２ｅを設ける構成と合わせて採用すれば、ケーブル引出口１２１に挿し込まれた不正器具がコネクタ接続口１１２ａにさらに到達しにくくなる。
【００５０】
ケーブル引出口１２１の配置について、別の観点から述べると、ケーブル引出口１２１は、ケーブル引出口１２１の中心Ｐ１（図９）とコネクタ接続口１１２ａの中心Ｐ２（図９）とコネクタ接続口１１２ａに最も近いＲＯＭ２２０の中心Ｐ３（図９）とによって形成される角Ｐ１Ｐ２Ｐ３が９０°以下となる位置に設けると好ましい。これにより、ケーブル引出口１２１の隙間から挿入された不正器具がＲＯＭ２２０まで届きにくくすることができる。角Ｐ１Ｐ２Ｐ３が９０°は、４５°以下であるとより好ましく、３０°以下であるとさらに好ましい。電子基板２００のレイアウト等によっては、角Ｐ１Ｐ２Ｐ３をマイナスとする（線分Ｐ１Ｐ２の延長線上よりも上側に点Ｐ３を位置させる）こともできるが、通常、０°以上である。
【００５１】
また、コネクタカバー１２０には、図３に示すように、係合部挿通部１２２が設けられている。この係合部挿通部１２２は、上側ケース１１２の係合部α１を挿通させるための部分となっている。このため、係合部挿通部１２２の配置や数は、上側ケース１１２の係合部α１に対応したものとされる。第一実施態様のコネクタカバー付き基板ケース１００においては、コネクタカバー１２０の一の縁部（ｙ軸方向負側の縁部）から下向きに突出する突出壁部γ２を形成し、この突出壁部γ２の上縁部近傍における対称な箇所に２個の係合部挿通部１２２を設けている。突出壁部γ２は、図９に示すように、コネクタカバー１２０が組み付けられた上側ケース１１２を下側ケース１１１に組み付けた際に、下側ケース１１１のスリット溝１１１ｉ（接着剤溜め部）に挿し込まれるようになっている。このため、スリット溝１１１ｉに注入された接着剤で、コネクタカバー１２０の突出壁部γ２における広い範囲を下側ケース１１１に対して接着させることが可能となっている。
【００５２】
さらに、コネクタカバー１２０における係合部挿通部１２２が設けられた側とは反対側の側面には、図３に示すように、係合部α３が設けられている。この係合部α３は、上側ケース１１２の被係合部β３に係合させるための部分となっている。これにより、コネクタカバー１２０を上側ケース１１２に組み付けた際に、コネクタカバー１２０における係合部挿通部１２２が設けられた側の端部だけでなく、係合部挿通部１２２が設けられていない側の端部も上側ケース１１２から浮き上がらないようにし、コネクタカバー１２０を上側ケース１１２に対してしっかりと組み付けることが可能となっている。
【００５３】
さらにまた、コネクタカバー１２０の上面には、図３に示すように、膨出部１２３を設けている。この膨出部１２３は、コネクタ付きケーブル３００を図９に示すように取り回した際に、コネクタ３２０の近傍のケーブル３１０が急角度で折れ曲がれないようにケーブル３１０を逃がすための部分となっている。このため、膨出部１２３は、上側ケース１１２のコネクタ接続口１１２ａに略重なる位置に設けられる。このように、ケーブル３１０を逃がすための膨出部１２３をコネクタカバー１２０に局所的に設けることにより、コネクタカバー１２０における膨出部１２３が設けられた以外の部分においては、コネクタカバー１２０の上面と上側ケース１１２の上面とによって形成される隙間の高さＨ１（図９）を抑えることが可能になる。このため、コネクタ３２０を引き抜きにくくするだけでなく、ケーブル引出口１２１から挿し込まれた不正器具がコネクタ接続口１１２ａまで届きにくくすることも可能になる。
【００５４】
１．４  コネクタカバー付き基板ケースの組付方法
以上で述べた第一実施態様のコネクタカバー付き基板ケース１００は、以下の手順１〜５で組み付けることができるものとなっている。ただし、以下の手順１〜５は、あくまで一例であり、第一実施態様のコネクタカバー付き基板ケース１００の組付方法を限定するものではない。
【００５５】
［手順１］
まず、図３に示すように、コネクタカバー付き基板ケース１００が、下側ケース１１１と上側ケース１１２とコネクタカバー１２０とに分離している状態において、電子基板２００を基板ケース１１０に固定する。電子基板２００は、下側ケース１１１の上面側に固定するようにしてもよいが、上側ケース１１２の下面側に固定すると好ましい。これにより、この手順１において、上側ケース１１２のコネクタ接続口１１２ａから電子基板２００のコネクタ２３０を露出させ、その露出したコネクタ２３０にコネクタ付きケーブル３００のコネクタ３２０を接続することが可能になる。このため、下記の手順４において、コネクタ接続口１１２ａから下側に伸びるケーブル３００の長さを調節する等の煩わしい作業を要することなく、コネクタカバー付き基板ケース１００の組付を行うことが可能になる。また、下記の手順４において、電子基板２００に実装された各種部品が上側ケース１１２に干渉しないようにすることも可能になる。上側ケース１１２の下面側に対する電子基板２００の固定を終えると、コネクタ接続口１１２ａから上側に露出する電子基板２００のコネクタ２３０に、コネクタ付きケーブル３００のコネクタ３２０を接続する。このとき、コネクタカバー１２０におけるケーブル引出口１２１には、コネクタ付きケーブル３００のコネクタ３２０又はコネクタ３３０を通すことにより、ケーブル引出口１２１にケーブル３１０が挿通された状態としておく。下側ケース１１１のスリット溝１１１ｉ（図８を参照）には、接着剤を注入しておく。
【００５６】
［手順２］
続いて、図３の太矢印Ａ１に示すように、コネクタカバー１２０をｚ軸方向負側に動かし、図４に示すように、コネクタカバー１２０を上側ケース１１２の上面に載せる。このとき、コネクタ接続口１１２ａとケーブル引出口１２１との間にあるケーブル３１０の長さを調節し、その部分のケーブル３１０がコネクタカバー１２０の内側に収まるようにする。図４に示す状態において、コネクタカバー１２０は、コネクタカバー組付部１１２ｄ（図３において網掛けハッチングで示した部分）よりもｙ軸方向負側にずれた位置に配されており、上側ケース１１２の係合部α１（図示省略）は、コネクタカバー１２０の係合部挿通部１２２には挿通されていない。
【００５７】
［手順３］
続いて、図４の太矢印Ａ２に示すように、上側ケース１１２の上面に沿ってコネクタカバー１２０をｙ軸方向正側にスライドさせ、コネクタカバー１２０の係合部α３を上側ケース１１２の被係合部β３に係合させ、図５に示す状態とする。図５に示す状態においては、上側ケース１１２の係合部α１がコネクタカバー１２０の係合部挿通部１２２に挿通された状態となっており、係合部α１の先端部が突出壁部γ２の外面から外方に突出した状態となっている。
【００５８】
［手順４］
続いて、図６に示すように、コネクタカバー１２０が組み付けられた上側ケース１１２を下側ケース１１１に対して傾けた状態とし、図８に示すように、上側ケース１１２の係合部α２を下側ケース１１１の被係合部β２に係合させ、図６及び図８の太矢印Ａ３に示すように、コネクタカバー１２０が組み付けられた上側ケース１１２を下側ケース１１１に近づく向きに回動させていく。
【００５９】
［手順５］
続いて、図７及び図９に示すように、下側ケース１１１の上面開口が完全に塞がれるまで、コネクタカバー１２０が組み付けられた上側ケース１１２を回動させ、上側ケース１１２の係合部α１を下側ケース１１１の被係合部β１に係合させる。このとき、係合部α１の下向きリブα１．１は、図１０に示すように、下側ケース１１１の仕切壁部γ３の凹部γ３．１に嵌め込まれた状態となっている。また、コネクタカバー１２０の突出壁部γ２は、図９に示すように、下側ケース１１１のスリット溝１１１ｉ（図９）に挿し込まれた状態となっている。突出壁部γ２がスリット溝１１１ｉに進入したことによって、スリット溝１１１ｉに溜まっていた接着剤は、その液位が上昇して、係合部α１、被係合部β１及び係合部挿通部１２２に到達し、下側ケース１１１と上側ケース１１２とコネクタカバー１２０の三者を強固に接着する。接着剤が硬化すると、コネクタカバー付き基板ケース１００の組付は完了する。
【００６０】
［まとめ］
以上のように、第一実施態様のコネクタカバー付き基板ケース１００は、作業性よく組み付けることができるものとなっている。また、コネクタカバー付き基板ケース１００の組付が完了した図９の状態にあっては、係合部α１と被係合部β１、係合部α２と被係合部β２、及び、係合部α３と被係合部β３のいずれもが係合状態となっていることに加えて、被係合部β１よりも内側で係合部α１が係合部挿通部１２２に挿通されるとともに、係合部α１、下側ケース１１１における被係合部β１の周辺部、及び、コネクタカバー１２０における係合部挿通部１２２の周辺部が接着剤によって接着された状態となっている。このため、いずれかの部材を破壊しない限りは、下側ケース１１１から上側ケース１１２を取り外すことも、上側ケース１１２又は下側ケース１１１からコネクタカバー１２０を取り外すこともできない状態となっている。
【００６１】
さらに、コネクタ３２０の上側は、コネクタカバー１２０によって覆われており、コネクタカバー付き基板ケース１００の外部からコネクタ３２０を引き抜きにくい状態となっている。加えて、コネクタカバー１２０のケーブル引出口１２１から不正器具を挿し込んで、その不正器具の先端部を電子基板２００のＲＯＭ２２０等の主要な部品が実装された箇所まで到達させるためには、細く曲がりくねった空間を通過させなければならない状態となっている。このように、第一実施態様のコネクタカバー付き基板ケース１００は、電子基板２００への不正アクセスが著しく困難で、極めて優れた封止力を発揮できるものとなっている。
【００６２】
２．第二実施態様のコネクタカバー付き基板ケース
続いて、第二実施態様のコネクタカバー付き基板ケースについて説明する。図１１は、第二実施態様のコネクタカバー付き基板ケース１００を分解した状態を示した斜視図である。図１２は、上側ケース１１２を下側ケース１１１に組み付け終えた状態の第二実施態様のコネクタカバー付き基板ケース１００を示した斜視図である。図１１及び図１２に示す第二実施態様のコネクタカバー付き基板ケース１００は、第一実施態様のコネクタカバー付き基板ケース１００と同様、サブ制御基板ユニット３１（図２を参照）で使用するものとなっており、その基本的な形態は、第一実施態様のコネクタカバー付き基板ケース１００と略同一となっている。
【００６３】
ただし、第一実施態様のコネクタカバー付き基板ケース１００において、ケーブル引出口１２１は、図３に示すように、その周部に切れ目を有さない完全に閉じた形態となっていたのに対し、第二実施態様のコネクタカバー付き基板ケース１００において、ケーブル引出口１２１は、図１１に示すように、その周部に切れ目を有する開いた形態となっている。換言すると、第二実施態様のコネクタカバー付き基板ケース１００では、コネクタカバー１２０に設けられたケーブル引出口１２１の周部における一部の区間（図１１の例ではｘ軸方向負側の周部を形成するはずの区間）が、コネクタカバー１２０の外方へ開放された開放区間となっている。
【００６４】
このため、第一実施態様のコネクタカバー付き基板ケース１００では、上記の「１．４  コネクタカバー付き基板ケースの組付方法」における「手順１」を行う際に、上側ケース１１２のコネクタ接続口１１２ａとコネクタカバー１２０のケーブル引出口１２１とにケーブル３１０を挿通する必要があり、ケーブル引出口１２１は、コネクタ３２０又はコネクタ３３０を通すことができる寸法に形成しておく必要があったところ、第二実施態様のコネクタカバー付き基板ケース１００では、ケーブル３１０をケーブル引出口１２１の開放区間からケーブル引出口１２１内へ挿通することができ、コネクタ３２０又はコネクタ３３０をケーブル引出口１２１に通す必要がない。したがって、第二実施態様のコネクタカバー付き基板ケース１００では、ケーブル引出口１２１を、ケーブル３１０のみを通すことができる寸法に形成しておけばよく、第一実施態様のコネクタカバー付き基板ケース１００よりも、ケーブル引出口１２１の寸法を小さくし、ケーブル引出口１２１の隙間から不正器具を挿し込みにくくすることが可能となっている。
【００６５】
ケーブル引出口１２１における前記開放区間は、図１２に示すように、コネクタカバー１２０を上側ケース１１２に組み付けた際に、上側ケース１１２の閉塞部δ１（図１１及び図１２において網掛けハッチングで示した部分）で塞がれるようになっている。第二実施態様のコネクタカバー付き基板ケース１００において、閉塞部δ１は、上側ケース１１２における第二凸部１１２ｃの側壁面となっているが、必ずしもこのようにする必要はなく、下側ケース１１１や上側ケース１１２やコネクタカバー１２０の形態を変化させることにより、様々なバリエーションが考えられる。例えば、第二実施態様のコネクタカバー付き基板ケースにおける第二凸部１１２に相当する部分を、上側ケース１１２ではなく、下側ケース１１１に設けておくことによって、閉塞部δ１を、上側ケース１１２ではなく、下側ケース１１１に設けることもできる。この場合、ケーブル引出口１２１の開放区間は、コネクタカバー１２０が組み付けられた上側ケース１１２を下側ケース１１１に組み付けた際に塞がれるようになる。
【００６６】
第二実施態様のコネクタカバー付き基板ケース１００において、ケーブル引出口１２１の開口面積は、ケーブル３１０を通すことができる範囲であれば特に限定されない。しかし、ケーブル引出口１２１の開口面積が、コネクタ接続口１１２ａの開口面積に近いと、ケーブル引出口１２１に開放区間を設ける意義が低下する。このため、ケーブル引出口１２１の開口面積は、コネクタ接続口１１２ａの開口面積（Ｓ１とする。）に対するケーブル引出口１２１の開口面積（Ｓ２とする。）の比Ｓ２／Ｓ１が、０．９以下となる範囲で設定すると好ましい。比Ｓ２／Ｓ１は、０．７以下であるとより好ましく、０．５以下であるとさらに好ましい。比Ｓ２／Ｓ１に下限は特にないが、比Ｓ２／Ｓ１は、通常、０．０１以上である。第二実施態様のコネクタカバー付き基板ケース１００において、特に言及していない構成は、第一実施態様のコネクタカバー付き基板ケース１００と同じ構成を採用することができる。
【００６７】
３．第三実施態様のコネクタカバー付き基板ケース
続いて、第三実施態様のコネクタカバー付き基板ケースについて説明する。図１３は、第三実施態様のコネクタカバー付き基板ケース１００を分解した状態を示した斜視図である。図１４は、上側ケース１１２を下側ケース１１１に組み付け終えた状態の第三実施態様のコネクタカバー付き基板ケース１００を示した斜視図である。図１３及び図１４に示す第三実施態様のコネクタカバー付き基板ケース１００は、メイン制御基板ユニット３１（図２を参照）で使用するものとなっており、第一実施態様のコネクタカバー付き基板ケース１００や、第二実施態様のコネクタカバー付き基板ケース１００よりも大きく偏平な形態を為している。第三実施態様のコネクタカバー付き基板ケース１００におけるケーブル引出口１２１は、第二実施態様のコネクタカバー付き基板ケース１００におけるケーブル引出口１２１と同様、その周部における一部の区間がコネクタカバー１２０の外方へ開放された開放区間となっている。第三実施態様のコネクタカバー付き基板ケース１００において、特に言及していない構成は、第一実施態様のコネクタカバー付き基板ケース１００又は第二実施態様のコネクタカバー付き基板ケース１００と同じ構成を採用することができる。
【００６８】
４．第四実施態様のコネクタカバー付き基板ケース
最後に、第四実施態様のコネクタカバー付き基板ケースについて説明する。図１７は、第四実施態様のコネクタカバー付き基板ケース１００を分解した状態を示した斜視図である。図１８は、上側ケース１１２を下側ケース１１１に組み付け終えた状態の第四実施態様のコネクタカバー付き基板ケース１００を示した斜視図である。図１７においては、図示の便宜上、コネクタカバー１２０を、その幅方向（ｘ軸方向）略中間部で切断した状態で示している。図１７及び図１８に示す第四実施態様のコネクタカバー付き基板ケース１００は、第二実施態様のコネクタカバー付き基板ケース１００と同様、サブ制御基板ユニット３１（図２を参照）で使用するものとなっており、その基本的な形態は、第二実施態様のコネクタカバー付き基板ケース１００と略同一となっている。また、コネクタカバー１２０のケーブル引出口１２１の周部に開放区間が設けられている点も、第二実施態様（又は第三実施態様）のコネクタカバー付き基板ケース１００と同様である。
【００６９】
ただし、第二実施態様のコネクタカバー付き基板ケース１００において、ケーブル引出口１２１は、コネクタカバー１２０の側方（上下方向（ｚ軸方向）に垂直な方向）に開放されていたが、第四実施形態のコネクタカバー付き基板ケース１００においては、図１７に示すように、ケーブル引出口１２１が、コネクタカバー１２０の下方に開放されている。このため、第二実施態様のコネクタカバー付き基板ケース１００では、図１１に示すように、ケーブル引出口１２１の開放区間を閉塞するための閉塞部δ１が、上側ケース１１２における第二凸部１１２ｃの側壁面となっていたが、第四実施態様のコネクタカバー付き基板ケース１００では、図１７に示すように、上側ケース１１２の上面が閉塞部δ１（同図において網掛けハッチングで示した部分）となっている。第四実施態様のコネクタカバー付き基板ケース１００においては、第二凸部１１２ｃにおけるケーブル引出口１２１と略重なる位置を窪ませて形成したケーブル導出路１１２ｆを設けており、上側ケース１１２に組み付けられたコネクタカバー１２０のケーブル引出口１２１から引き出されるケーブル３１０を、ケーブル導出路１１２ｆを通じてコネクタカバー１２０の上方に引き出すことができるようになっている。
【００７０】
第四実施態様のコネクタカバー付き基板ケース１００では、コネクタカバー１２０を上側ケース１１２に組み付けた際に、ケーブル引出口１２１が第二凸部１１２ｃにおける奥まった箇所に位置させるとともに、ケーブル導出路１１２ｆにおけるケーブル３００の導出方向を、コネクタ接続口１１２ａとケーブル引出口１２１とを結ぶ方向に対して傾斜させることができるようになっており、第二実施態様のコネクタカバー付き基板ケース１００よりもさらに不正アクセスしにくいものとなっている。第四実施態様のコネクタカバー付き基板ケース１００において、特に言及していない構成は、第一実施態様、第二実施態様又は第三実施態様のコネクタカバー付き基板ケース１００と同じ構成を採用することができる。
【符号の説明】
【００７１】
１０      回胴式遊技機
１０ａ    リール窓
１１      メダル投入口
１２      メダル払出口
１３      リール
１４      リール
１５      リール
１６      液晶ディスプレイ
１７      スピーカー
１８      マックスベットボタン
１９      シングルベットボタン
２０      スタートレバー
２１      ストップボタン
２２      ストップボタン
２３      ストップボタン
２４      チャンスボタン
２５      払戻しボタン
２６      メダルホッパー
３０      メイン制御基板ユニット
３１      サブ制御基板ユニット
３２      液晶ユニット
３３      電源ユニット
３４      コネクタユニット
１００      コネクタカバー付き基板ケース
１１０      基板ケース
１１１      下側ケース
１１１ａ    底壁部
１１１ｂ    側壁部
１１１ｃ    側壁部
１１１ｄ    側壁部
１１１ｅ    側壁部
１１１ｆ    横壁部
１１１ｇ    縦壁部
１１１ｈ    横壁部
１１１ｉ    スリット溝（接着剤溜め部）
１１２      上側ケース
１１２ａ    コネクタ接続口
１１２ｂ    第一凸部
１１２ｃ    第二凸部
１１２ｄ    コネクタカバー組付部
１１２ｅ    邪魔用リブ
１１２ｆ    ケーブル導出路
１２０      コネクタカバー
１２１      ケーブル引出口
１２２      係合部挿通部
１２３      膨出部
２００      電子基板
２１０      ＣＰＵ
２２０      ＲＯＭ
２３０      コネクタ
３００      コネクタ付きケーブル
３１０      ケーブル
３２０      コネクタ
３３０      コネクタ
α１    係合部
α１．１  下向きリブ
α２    係合部
α３    係合部
β１    被係合部
β２    被係合部
β３    被係合部
γ１    起立壁部
γ２    突出壁部
γ３    仕切壁部
γ３．１  凹部
γ４    起立壁部
δ１    閉塞部
【要約】
【課題】
基板ケースに対するコネクタカバーの固定にネジ止めを要さないだけでなく、コネクタカバーの取り外しが困難で、かつ、コネクタカバーの組付の作業性に優れたコネクタカバー付き基板ケースを提供する。
【解決手段】
コネクタカバー付き基板ケース１００を、上面側に電子基板２００が配される下側ケース１１１と、下側ケース１１１の上面側を覆う上側ケース１１２と、上側ケース１１２に設けたコネクタ接続口１１２ａを覆うためのコネクタカバー１２０とで構成し、上側ケース１１２に設けた係合部α１を下側ケース１１１に設けた被係合部β１に係合することによって、下側ケース１１１と上側ケース１１２とが結合する構造とするとともに、コネクタカバー１２０に設けた係合部挿通部１２２に係合部α１を挿通して上側ケース１１２にコネクタカバー１２０を組み付けた状態で係合部α１の先端部を被係合部β１に係合させる構造とした。
【選択図】図９【図１】
0005842052.tif 000002
【図２】
0005842052.tif 000003
【図３】
0005842052.tif 000004
【図４】
0005842052.tif 000005
【図５】
0005842052.tif 000006
【図６】
0005842052.tif 000007
【図７】
0005842052.tif 000008
【図８】
0005842052.tif 000009
【図９】
0005842052.tif 000010
【図１０】
0005842052.tif 000011
【図１１】
0005842052.tif 000012
【図１２】
0005842052.tif 000013
【図１３】
0005842052.tif 000014
【図１４】
0005842052.tif 000015
【図１５】
0005842052.tif 000016
【図１６】
0005842052.tif 000017
【図１７】
0005842052.tif 000018
【図１８】
0005842052.tif 000019